(57)【要約】【課題】  必要なメールを容易に短時間で検索して表示可能にすること。【解決手段】  電話帳機能とメール機能を連動させることにより、操作部１１１が、電話帳として記憶媒体１０９、１１０に記憶された複数の送信元データから送信元を指定し、制御部１０２が、操作部１１１によって指定された送信元に関連する受信メールを記憶媒体１０９、１１０に記憶された受信メールの中から抽出して表示部１１２に一覧表示する。また、着信履歴機能やリダイヤル機能とメール機能を連動させることにより、着信履歴情報やリダイヤル情報を用いてメールの検索、表示を行う。【選択図】  図１
2006185089.tif 000002
【特許請求の範囲】
【請求項１】
操作手段が、電話帳記憶手段に記憶された複数の送信元データから送信元を指定するステップと、
抽出手段が、前記操作手段によって指定された送信元に関連するメールをメール記憶手段に記憶されたメールの中から抽出して表示手段に一覧表示するステップとを備えて成ることを特徴とするメール表示方法。
【請求項２】
操作手段が、着信履歴記憶手段に記憶された複数の送信元データから特定の送信元を指定するステップと、
抽出手段が、前記操作手段によって指定された送信元に関連するメールをメール記憶手段に記憶されたメールの中から抽出して表示手段に一覧表示するステップとを備えて成ることを特徴とするメール表示方法。
【請求項３】
操作手段が、リダイヤル情報記憶手段に記憶された複数のダイヤル先データから送信元を指定するステップと、
抽出手段が、前記操作手段によって指定された送信元に関連するメールをメール記憶手段に記憶されたメールの中から抽出して表示手段に一覧表示するステップとを備えて成ることを特徴とするメール表示方法。
【請求項４】
操作手段がメールの受信日を指定するステップと、
抽出手段が、前記操作手段によって指定された受信日に受信したメールをメール記憶手段に記憶されたメールの中から抽出して表示手段に一覧表示するステップとを備えて成ることを特徴とするメール表示方法。
【請求項５】
前記操作手段は更にメールのグループを指定すると共に、前記抽出手段は、前記メール記憶手段に記憶したメールのうち、前記操作手段によって指定されたグループに属するメールを抽出して前記表示手段に一覧表示することを特徴とする請求項１乃至４のいずれか一に記載のメール表示方法。
【請求項６】
前記抽出手段は、前記メール記憶手段から抽出したメールを所定順序に並べ替えて前記表示手段に一覧表示することを特徴とする請求項１乃至５のいずれか一に記載のメール表示方法。
【請求項７】
操作手段と、表示手段と、受信したメールを記憶するメール記憶手段と、送信元のデータを記憶する電話帳記憶手段と、前記電話帳記憶手段に記憶された複数の送信元データの中から前記操作手段が指定した送信元に関連するメールを前記メール記憶手段から抽出して前記表示手段に一覧表示する抽出手段とを備えて成ることを特徴とする携帯型通信装置。
【請求項８】
操作手段と、表示手段と、受信したメールを記憶するメール記憶手段と、送信元データを含む着信履歴データを記憶する着信履歴記憶手段と、前記着信履歴記憶手段に記憶された複数の送信元データの中から前記操作手段が指定した送信元に関連するメールを前記メール記憶手段から抽出して前記表示手段に一覧表示する抽出手段とを備えて成ることを特徴とする携帯型通信装置。
【請求項９】
操作手段と、表示手段と、受信したメールを記憶するメール記憶手段と、ダイヤル先のデータを記憶するリダイヤル記憶手段と、前記リダイヤル記憶手段に記憶された複数のダイヤル先データの中から前記操作手段が指定したダイヤル先に関連するメールを前記メール記憶手段から抽出して前記表示手段に一覧表示する抽出手段とを備えて成ることを特徴とする携帯型通信装置。
【請求項１０】
操作手段と、表示手段と、受信したメールを記憶するメール記憶手段と、前記操作手段が指定した受信日に受信したメールを前記メール記憶手段から抽出して前記表示手段に一覧表示する抽出手段とを備えて成ることを特徴とする携帯型通信装置。
【請求項１１】
前記操作手段は更にメールのグループを指定すると共に、前記抽出手段は、前記メール記憶手段に記憶したメールのうち、前記操作手段によって指定されたグループのメールを抽出して前記表示手段に一覧表示することを特徴とする請求項７乃至１０のいずれか一に記載の携帯型通信装置。
【請求項１２】
前記抽出手段は、前記受信メール記憶手段から抽出したメールを所定順序に並べ替えて前記表示手段に一覧表示することを特徴とする請求項７乃至１１のいずれか一に記載の携帯型通信装置。
【発明の詳細な説明】
【技術分野】
【０００１】
本発明は、ショートメールやＥメールといった電子メールの表示方法及び前記メール表示方法に好適な携帯型通信装置に関する。
【背景技術】
【０００２】
従来から、携帯電話等の携帯型通信装置を使用して、ショートメールやＥメール等の電子メールの送受信を行うシステム等が開発されており（例えば、特許文献１〜４参照）、電子メールを携帯電話で受信した場合、当該携帯電話を所定操作することにより、受信した電子メールのリストや内容等が前記携帯電話の表示部に表示される。
従来の受信メール表示方法において、受信したメールを保存して表示するための携帯電話のメール受信ＢＯＸは、受信フォルダを作成することでメールの振り分けを可能としている。
【０００３】
しかしながら、手動で受信フォルダを作成しておくことが前提であるため、フォルダの作成がされていない場合は、メール受信ＢＯＸに保存されているメールの中から必要なメールを検索することになる。
したがって、メール受信保存数が多数の場合においては検索に長時間要することになるという問題があり又、急ぎでメールを確認したい場合などには、短時間での検索が困難なため使い勝手が悪いという問題がある。また、従来のパソコンなどで使用しているメーラでのソート機能が携帯電話端末でのメール機能においてはないため、必要なメールの検索に時間がかかるという問題がある。
【０００４】
【特許文献１】特開２００２−３２３１５号公報
【特許文献２】特開２００１−１１７８３１号公報
【特許文献３】特開２００２−３４４５７５号公報
【特許文献４】特開２００４−２３４２１４号公報
【発明の開示】
【発明が解決しようとする課題】
【０００５】
本発明は、前記問題点に鑑み成されたもので、必要なメールを容易に短時間で検索して表示することが可能なメール表示方法を提供することを課題としている。
また、本発明は、必要なメールを容易に短時間で検索して表示することが可能な携帯型通信装置を提供することを課題としている。
【課題を解決するための手段】
【０００６】
本発明によれば、操作手段が、電話帳記憶手段に記憶された複数の送信元データから送信元を指定するステップと、抽出手段が、前記操作手段によって指定された送信元に関連するメールをメール記憶手段に記憶されたメールの中から抽出して表示手段に一覧表示するステップとを備えて成ることを特徴とするメール表示方法が提供される。操作手段が、電話帳記憶手段に記憶された複数の送信元データから送信元を指定し、抽出手段が、前記操作手段によって指定された送信元に関連するメールをメール記憶手段に記憶されたメールの中から抽出して表示手段に一覧表示する。
【０００７】
また、本発明によれば、操作手段が、着信履歴記憶手段に記憶された複数の送信元データから特定の送信元を指定するステップと、抽出手段が、前記操作手段によって指定された送信元に関連するメールをメール記憶手段に記憶されたメールの中から抽出して表示手段に一覧表示するステップとを備えて成ることを特徴とするメール表示方法が提供される。操作手段が、着信履歴記憶手段に記憶された複数の送信元データから特定の送信元を指定し、抽出手段が、前記操作手段によって指定された送信元に関連するメールをメール記憶手段に記憶されたメールの中から抽出して表示手段に一覧表示する。
【０００８】
また、本発明によれば、操作手段が、リダイヤル情報記憶手段に記憶された複数のダイヤル先データから送信元を指定するステップと、抽出手段が、前記操作手段によって指定された送信元に関連するメールをメール記憶手段に記憶されたメールの中から抽出して表示手段に一覧表示するステップとを備えて成ることを特徴とするメール表示方法が提供される。操作手段が、リダイヤル情報記憶手段に記憶された複数の送信元データから送信元を指定し、抽出手段が、前記操作手段によって指定された送信元に関連するメールをメール記憶手段に記憶されたメールの中から抽出して表示手段に一覧表示する。
【０００９】
また、本発明によれば、操作手段がメールの受信日を指定するステップと、抽出手段が、前記操作手段によって指定された受信日に受信したメールをメール記憶手段に記憶されたメールの中から抽出して表示手段に一覧表示するステップとを備えて成ることを特徴とするメール表示方法が提供される。操作手段がメールの受信日を指定し、抽出手段が、前記操作手段によって指定された受信日に受信したメールをメール記憶手段に記憶されたメールの中から抽出して表示手段に一覧表示する。
【００１０】
ここで、前記操作手段は更にメールのグループを指定すると共に、前記抽出手段は、前記メール記憶手段に記憶したメールのうち、前記操作手段によって指定されたグループに属するメールを抽出して前記表示手段に一覧表示するように構成してもよい。
また、前記抽出手段は、前記メール記憶手段から抽出したメールを所定順序に並べ替えて前記表示手段に一覧表示するように構成してもよい。
【００１１】
また、本発明によれば、操作手段と、表示手段と、受信したメールを記憶するメール記憶手段と、送信元のデータを記憶する電話帳記憶手段と、前記電話帳記憶手段に記憶された複数の送信元データの中から前記操作手段が指定した送信元に関連するメールを前記メール記憶手段から抽出して前記表示手段に一覧表示する抽出手段とを備えて成ることを特徴とする携帯型通信装置が提供される。抽出手段は、電話帳記憶手段に記憶された複数の送信元データの中から操作手段が指定した送信元に関連するメールをメール記憶手段から抽出して表示手段に一覧表示する。
【００１２】
また、本発明によれば、操作手段と、表示手段と、受信したメールを記憶するメール記憶手段と、送信元データを含む着信履歴データを記憶する着信履歴記憶手段と、前記着信履歴記憶手段に記憶された複数の送信元データの中から前記操作手段が指定した送信元に関連するメールを前記メール記憶手段から抽出して前記表示手段に一覧表示する抽出手段とを備えて成ることを特徴とする携帯型通信装置が提供される。抽出手段は、着信履歴記憶手段に記憶された複数の送信元データの中から操作手段が指定した送信元に関連するメールをメール記憶手段から抽出して表示手段に一覧表示する。
【００１３】
また、本発明によれば、操作手段と、表示手段と、受信したメールを記憶するメール記憶手段と、ダイヤル先のデータを記憶するリダイヤル記憶手段と、前記リダイヤル記憶手段に記憶された複数のダイヤル先データの中から前記操作手段が指定したダイヤル先に関連するメールを前記メール記憶手段から抽出して前記表示手段に一覧表示する抽出手段とを備えて成ることを特徴とする携帯型通信装置が提供される。抽出手段は、リダイヤル記憶手段に記憶された複数のダイヤル先データの中から操作手段が指定したダイヤル先に関連するメールをメール記憶手段から抽出して表示手段に一覧表示する。
【００１４】
また、本発明によれば、操作手段と、表示手段と、受信したメールを記憶するメール記憶手段と、前記操作手段が指定した受信日に受信したメールを前記メール記憶手段から抽出して前記表示手段に一覧表示する抽出手段とを備えて成ることを特徴とする携帯型通信装置が提供される。抽出手段は、操作手段が指定した受信日に受信したメールをメール記憶手段から抽出して表示手段に一覧表示する。
【００１５】
ここで、前記操作手段は更にメールのグループを指定すると共に、前記抽出手段は、前記メール記憶手段に記憶したメールのうち、前記操作手段によって指定されたグループのメールを抽出して前記表示手段に一覧表示するように構成してもよい。
また、前記抽出手段は、前記受信メール記憶手段から抽出したメールを所定順序に並べ替えて前記表示手段に一覧表示するように構成してもよい。
【発明の効果】
【００１６】
本発明に係るメール表示方法によれば、必要なメールを容易に短時間で検索して表示することが可能になる。
本発明に係る携帯型通信装置によれば、必要なメールを容易に短時間で検索して表示することが可能になる。
【発明を実施するための最良の形態】
【００１７】
以下、本発明の実施の形態に係るメール表示方法及び前記メール表示方法に使用する携帯型通信装置について、図面を参照して詳細に説明する。
図１は本発明の実施の形態に係るメール表示方法に使用する携帯型通信装置のブロック図であり、携帯電話の例を示している。携帯電話は、そのメニュー操作により電話帳機能を起動することが可能であり、且つ、氏名、グループ、電話番号、メールアドレス、住所、メモ、静止画、動画、メモリ番号等を登録することができる。また、メーラを起動することが可能であり、ショートメール、Ｅメールといった電子メールの送受信、その他メール機能の設定が可能な携帯電話である。
【００１８】
図１において、携帯電話は、信号を無線で送受信する無線送受信手段としての無線部１０１、携帯電話全体や携帯電話の各構成要素を制御する制御手段としての制御部１０２、記憶手段としての記憶部１０３、入出力手段としての入出力部１０４を備えている。
無線部１０１は、アンテナや送受信部を備えており、ショートメールやＥメール等の電子メール、音声、画像等を無線で送受信する。
制御部１０２は、中央処理装置（ＣＰＵ）によって構成され、メモリ１０３に記憶されたプログラムを実行することにより種々の機能を実現する。例えば、制御部１０２は、電話帳機能を制御する電話帳制御部１０５、メモリ１０３を制御するメモリ制御部１０６、メーラとして機能するメーラー処理部１０７としての機能等を有している。尚、制御部１０２は抽出手段を構成している。
【００１９】
記憶部１０３は、制御部１０２が実行するプログラムが記憶されたメモリ１０８、各種のデータを記憶するための内部記憶媒体１０９、外部記憶媒体１１０を有している。内部記憶媒体１０９及び外部記憶媒体１１０は、受信したメールを記憶するメール記憶手段、電子メールの送信元データ（例えば、メールアドレス、電話番号）を記憶する電話帳記憶手段、送信元データを含む着信履歴データを記憶する着信履歴記憶手段、今までにダイヤルしたダイヤル先のデータを記憶するリダイヤル記憶手段を構成している。尚、内部記憶媒体１０９は携帯電話に内蔵の記憶媒体であり、外部記憶媒体１１０は携帯電話に着脱可能な外部記憶媒体である。
【００２０】
入出力部１０４は、操作キー等によって構成された操作手段としての操作部１１１及び液晶表示装置等によって構成された表示手段としての表示部１１２を有している。
図２は、図１に示した携帯電話の表示部１１２に表示される表示画面の遷移図ある。表示部１１２の表示が電話帳表示画面１１２ａの場合、送信元データ（例えば、メールアドレスや電話番号）が登録された電話帳が表示されるものであり、「登録１」、「ＡＡＡ」等のメールアドレスや電話番号の一覧表示がなされる。
【００２１】
表示部１１２が電話帳表示を行っている電話帳表示画面１１２ａにおいて、操作部１１１の操作によって送信元データ（メールアドレス又は電話番号）である「登録１」を選択指定した後に「メニュー」を選択指定すると、表示部１１２の表示は「登録１」に対して可能な処理を一覧表示するための登録１表示画面１１２ｂとなる。登録１表示画面１１２ｂでは、「登録１」に対して行う処理として、「修正」、「消去」、「メール表示」等の処理が表示される。
【００２２】
登録１表示画面１１２ｂにおいて、操作部１１１の操作によって「メール表示」を選択指定すると、表示部１１２の表示はメールボックス（ＢＯＸ）表示画面１１２ｃとなる。メールＢＯＸ表示画面１１２ｃにおいては、携帯電話が受信して保存しているメールの保存フォルダを表す「受信メール」、携帯電話から送信した電子メールの保存フォルダを表す「送信メール」、作成途中で未送信の電子メールを一時保存するトレイである「送信トレイ」等が表示される。
【００２３】
メールＢＯＸ表示画面１１２ｃにおいて、操作部１１１の操作によって「１．受信メール」を選択指定すると、表示部１１２の表示は受信メール一覧表示画面１１２ｄとなり、記憶媒体１０９、１１０に記憶されている登録１からの受信メールの書誌事項（本実施の形態では、受信日時、送信者名及び件名）の一覧表示が行われる。
メールＢＯＸ表示画面１１２ｃにおいて、操作部１１１の操作によって「２．送信メール」を選択指定すると、表示部１１２の表示は送信メール一覧表示画面１１２ｅとなり、記憶媒体１０９、１１０に記憶されている登録１に送信した電子メールの書誌事項（本実施の形態では、送信日時、宛名及び件名）の一覧表示が行われる。
【００２４】
メールＢＯＸ表示画面１１２ｃにおいて、操作部１１１の操作によって「３．送信トレイ」を選択指定すると、表示部１１２の表示は送信トレイ表示画面１１２ｆとなり、記憶媒体１０９、１１０に記憶されている登録１に対応する未送信メールの書誌事項（本実施の形態では、作成日時、宛名及び件名）の一覧表示が行われる。
登録１表示画面１１２ｂにおいて、操作部１１１の操作によって「メール表示設定」を選択指定すると、図３の表示画面遷移図に示すように、表示部１１２はメール表示設定画面１１２ｇとなる。メール表示設定画面１１２ｇにおいては、携帯電話が受信して保存しているメールの保存フォルダを表す「受信メール」、携帯電話から送信した電子メールの保存フォルダを表す「送信メール」、作成途中で未送信の電子メールを一時保存するトレイである「送信トレイ」等が表示される。
【００２５】
メール表示設定画面１１２ｇにおいて、操作部１１１の操作によって「１．受信メール」を選択指定すると、表示部１１２の表示は、記憶媒体１０９、１１０に記憶されている登録１からの受信メールについて、送信先表示を設定可能な受信メール表示設定画面１１２ｈとなる。受信メール表示設定画面１１２ｈでは、受信メールの宛先やＣｃ等の表示設定が可能な表示が行われる。
メール表示設定画面１１２ｇにおいて、操作部１１１の操作によって「２．送信メール」を選択指定すると、表示部１１２の表示は、記憶媒体１０９、１１０に記憶されている登録１への受信メールについて、送信先表示を設定可能な送信メール表示設定画面１１２ｉとなる。送信メール表示設定画面１１２ｉでは、送信メールの宛先やＣｃ等の表示設定が可能な表示が行われる。
【００２６】
メール表示設定画面１１２ｇにおいて、操作部１１１の操作によって「３．送信トレイ」を選択指定すると、表示部１１２の表示は、記憶媒体１０９、１１０に記憶されている登録１への送信メールについて、送信先表示を設定可能な送信トレイ表示設定画面１１２ｊとなる。送信メール表示設定画面１１２ｊでは、送信メールの宛先やＣｃ等の表示設定が可能な表示が行われる。
尚、前述した図２、図３における表示部１１２の表示切り替え等の制御は、制御部１０２によって行われる。
【００２７】
図４は、本発明の実施の形態に係るメール表示方法の処理を示す説明図であり、制御部１０２の処理フロー及び表示部１１２の表示を示している。尚、図１〜図３と同一部分には同一符号を付している。
図７は、本発明の実施の形態に係るメール表示方法における一部の処理を詳細に示すフローチャートである。
【００２８】
図１〜図４及び図７において、操作部１１１の操作により、携帯電話から電話帳機能を選択指定し（図４のステップ１）、電話帳機能を起動させ、電話帳記憶手段としての記憶媒体１０９、１１０に記憶されている複数の送信元データを表示部１１２に表示する（図４のステップ２、８、図２の１１２ａ）。次に、電話帳に登録されているデータ一覧より「１．登録１」を選択（ステップ３）し、「１．登録１」の登録内容を携帯電話端末の表示部１１２に表示させる。
【００２９】
次に、電話帳のメニュー機能を選択し（ステップ４）、登録１表示画面１１２ｂを表示させる。次に、メニューの中からメール表示を選択指定する（ステップ５）。
次に、携帯電話のメール機能（メーラ）を起動させる（ステップ６）。メーラを起動すると、図７に示すように、制御部１０２は、メールが格納されている領域（本実施の形態では記憶媒体１０９、１１０）より、電話帳に登録されている送信元データ（例えば、電話番号及び電子メールアドレスの少なくとも一方）に基づいて、受信メール記憶手段としての記憶媒体１０９、１１０に記憶されている受信メールの検索を行う。即ち、メールＢＯＸメニューの表示処理を行った後（図７のステップ７１、図４のステップ９、図２のメールＢＯＸ表示画面１１２ｃ）、受信メールを携帯電話の外部領域に記憶したか否かを判断する（ステップ７２）。
【００３０】
ステップ７２において、受信メールを外部記憶媒体１１０に記憶していない場合には、内部記憶媒体１０９より受信メールの検索を行い（ステップ７３）、該当受信メールの抽出を行い（ステップ７４）、該当受信メールを受信メール表示画面１１２ｄに一覧表示する（ステップ７、図２の１１２ｄ）。
一方、ステップ７２において、受信メールを外部記憶媒体１１０に記憶している場合には、外部記憶媒体１１０よりメールの検索を行い（ステップ７５）、該当メールの抽出を行い（ステップ７４）、受信メール表示画面１１２ｄに抽出し表示する（ステップ７）。ここで、制御部１０２におけるステップ７３〜７５は抽出手段を構成している。
【００３１】
表示する場合、前記抽出手段は、受信メール記憶手段から抽出したメールを所定順序に並べ替えて表示部１０２に一覧表示する。例えば、最新の受信メールを一番上に表示し、下に行くほど古い日付の受信メールとする。また、表示する受信メールがない場合は、「受信メールなし」などのメッセージを表示部１１２の画面上に表示させる。
受信メールＢＯＸを終了して携帯電話端末の電話帳機能に戻ることにより、前記同様にして容易に別の送信元（登録者）の受信メールを表示することが可能となる。また、電話帳機能に登録されていない受信メールを表示したい場合も、電話帳機能に戻ることにより、容易に電話帳に送信元を登録することが可能となり、登録後、すぐに受信メールを表示することが可能となる。
【００３２】
以上説明したように、本実施の形態に係るメール表示方法及び携帯型通信装置おいては、電話帳機能とメール機能が連動しているので、個別受信メール表示ができる。また、電話帳とメール機能が連動しているので、容易にメールを検索できる。また、容易にメール検索が可能となるので、メールの確認の時間短縮が可能になるという効果を奏する。
【００３３】
図５は、着信履歴を利用してメールの検索表示を行う場合の処理を示すフローチャートである。
図５において、操作部１１１の操作により、携帯電話から着信履歴機能を選択指定し（図５のステップ１）、着信履歴機能を起動させ、着信履歴記憶手段としての記憶媒体１０９、１１０に記憶されている複数の送信元データを含む着信履歴を表示部１１２に表示する（ステップ２０、８）。次に、着信履歴として記憶されているデータ一覧より「登録１」を選択（ステップ３）し、「登録１」の登録内容を携帯電話端末の表示部１１２に表示させる。
【００３４】
次に、着信履歴のメニュー機能を選択し（ステップ４）、メニューの中からメール表示を選択指定する（ステップ５）。
次に、携帯電話端末のメール機能（メーラ）を起動させる（ステップ６）。メーラを起動すると、図７に示すように、制御部１０２は、メールが格納されている領域（本実施の形態では記憶媒体１０９、１１０）より、着信履歴に登録されている送信元データ（例えば、電話番号及び電子メールアドレスの少なくとも一方）に基づいて、受信メール記憶手段としての記憶媒体１０９、１１０に記憶されている受信メールの検索を行う。即ち、メールＢＯＸメニューの表示処理を行った後（図７のステップ７１、図５のステップ９）、受信メールを携帯電話の外部領域に記憶したか否かを判断する（ステップ７２）。
【００３５】
ステップ７２において、受信メールを外部記憶媒体１１０に記憶していない場合には、内部記憶媒体１０９より受信メールの検索を行い（ステップ７３）、該当受信メールの抽出を行い（ステップ７４）、該当受信メールを受信メール表示画面１１２ｄに一覧表示する（ステップ７）。
一方、ステップ７２において、受信メールを外部記憶媒体１１０に記憶している場合には、外部記憶媒体１１０よりメールの検索を行い（ステップ７５）、該当メールの抽出を行い（ステップ７４）、受信メール表示画面１１２ｄに抽出し表示する（ステップ７）。ここで、制御部１０２におけるステップ７３〜７５は抽出手段を構成している。
【００３６】
表示する場合、前記抽出手段は、受信メール記憶手段から抽出したメールを所定順序に並べ替えて表示部１０２に一覧表示する。例えば、最新の受信メールを一番上に表示し、下に行くほど古い日付の受信メールとする。また、表示する受信メールがない場合は、「受信メールなし」などのメッセージを表示部１１２の画面上に表示させる。
【００３７】
受信メールＢＯＸを終了して携帯電話端末の着信履歴機能に戻ることにより、前記同様にして容易に別の送信元（登録者）の受信メールを表示することが可能となる等、電話帳機能を利用した場合と同様である。
以上説明したように、本実施の形態に係るメール表示方法及び携帯型通信装置おいては、着信履歴機能とメール機能が連動しているので、容易にメールを検索できる。また、容易にメール検索が可能となるので、メールの確認の時間短縮が可能になるという効果を奏する。
【００３８】
図６は、リダイヤル機能を利用してメールの検索表示を行う場合の処理を示すフローチャートである。
図６において、操作部１１１の操作により、携帯電話から着信履歴機能を選択指定し（図６のステップ１）、リダイヤル機能を起動させ、リダイヤル情報記憶手段としての記憶媒体１０９、１１０に記憶されている複数のダイヤル先のデータを表示部１１２に表示する（ステップ２１、８）。次に、ダイヤル先として記憶されているデータ一覧より「登録１」を選択（ステップ３）し、「登録１」の登録内容を携帯電話端末の表示部１１２に表示させる。
【００３９】
次に、リダイヤルのメニュー機能を選択し（ステップ４）、メニューの中からメール表示を選択指定する（ステップ５）。
次に、携帯電話端末のメール機能（メーラ）を起動させる（ステップ６）。メーラを起動すると、図７に示すように、制御部１０２は、メールが格納されている領域（本実施の形態では記憶媒体１０９、１１０）より、リダイヤル記憶手段に記憶されているダイヤル先のデータ（例えば、電話番号及び電子メールアドレスの少なくとも一方）に基づいて、受信メール記憶手段としての記憶媒体１０９、１１０に記憶されている受信メールの検索を行う。即ち、メールＢＯＸメニューの表示処理を行った後（図７のステップ７１、図６のステップ９）、受信メールを携帯電話の外部領域に記憶したか否かを判断する（ステップ７２）。
【００４０】
ステップ７２において、受信メールを外部記憶媒体１１０に記憶していない場合には、内部記憶媒体１０９より受信メールの検索を行い（ステップ７３）、該当受信メールの抽出を行い（ステップ７４）、該当受信メールを受信メール表示画面１１２ｄに一覧表示する（ステップ７）。
一方、ステップ７２において、受信メールを外部記憶媒体１１０に記憶している場合には、外部記憶媒体１１０よりメールの検索を行い（ステップ７５）、該当メールの抽出を行い（ステップ７４）、受信メール表示画面１１２ｄに抽出し表示する（ステップ７）。ここで、制御部１０２におけるステップ７３〜７５は抽出手段を構成している。
【００４１】
表示する場合、前記抽出手段は、受信メール記憶手段から抽出したメールを所定順序に並べ替えて表示部１０２に一覧表示する。例えば、最新の受信メールを一番上に表示し、下に行くほど古い日付の受信メールとする。また、表示する受信メールがない場合は、「受信メールなし」などのメッセージを表示部１１２の画面上に表示させる。
受信メールＢＯＸを終了して携帯電話端末の着信履歴機能に戻ることにより、前記同様にして容易に別の送信元（登録者）の受信メールを表示することが可能となる等、電話帳機能を利用した場合と同様である。
【００４２】
以上説明したように、本実施の形態に係るメール表示方法及び携帯型通信装置おいては、リダイヤル機能とメール機能が連動しているので、容易にメールを検索できる。また、容易にメール検索が可能となるので、メールの確認の時間短縮が可能になるという効果を奏する。
尚、前記実施の形態においては、電話帳機能、着信履歴機能、リダイヤル機能を用いて、メールの検索表示を行うようにしたが、スケジューラ機能を使用して受信日付毎に受信したメールを表示するようにしてもよい。
【００４３】
即ち、操作手段としての操作部１１１がメールの受信日を指定するステップと、抽出手段としての制御部１０２が、前記操作手段によって指定された受信日に受信したメールをメール記憶手段としての記憶媒体１０９、１１０に記憶されたメールの中から抽出して表示手段に一覧表示するステップとを備えて成るように構成してもよい。
また、電話帳機能等において個人登録データで表示しているが、グループ登録単位で受信したメールを表示することも可能である。
即ち、操作手段としての操作部１１１は更にメールのグループを指定すると共に、抽出手段としての制御部１０２は、メール記憶手段としての記憶媒体１０９、１１０に記憶したメールのうち、前記操作手段によって指定されたグループに属するメールを抽出して表示手段としての表示部１１２に一覧表示するようにしてもよい。
【００４４】
また、前記実施の形態は、携帯電話の例で説明したが、ＰＨＳやＰＤＡ等の電子メール機能を有する携帯型通信装置に適用することが可能である。
また、メールのデータは携帯電話内部の記憶部に記憶したメール限らず、メールサービスセンタに設けられたメールボックスに一時的に記憶された状態で検索や表示を行うようにしてもよい。即ち、受信メール記憶手段には、携帯電話に装着して使用する記憶媒体１０９、１１０のみならず、前記メールボックス等の携帯電話外部に設けられた記憶手段も含まれる。
【産業上の利用可能性】
【００４５】
携帯電話のみならず、ＰＨＳやＰＤＡ等のメール機能を有する携帯型通信装置に適用することが可能である。
【図面の簡単な説明】
【００４６】
【図１】本発明の実施の形態に係るメール表示方法に使用する携帯型通信装置のブロック図である。
【図２】図１に示した携帯電話における表示画面の遷移図ある。
【図３】図１に示した携帯電話における表示画面の遷移図ある。
【図４】本発明の実施の形態に係るメール表示方法の処理を示す説明図である。
【図５】本発明の実施の形態に係るメール表示方法の処理を示す説明図であり、着信履歴を利用してメールの検索表示を行う場合の処理を示すフローチャートである。
【図６】本発明の実施の形態に係るメール表示方法の処理を示す説明図であり、リダイヤル機能を利用してメールの検索表示を行う場合の処理を示すフローチャートである。
【図７】本発明の実施の形態に係るメール表示方法の一部の処理を詳細に示すフローチャートである。
【符号の説明】
【００４７】
１０１・・・無線送受信手段としての無線部
１０２・・・制御手段、抽出手段としての制御部
１０３・・・記憶手段としての記憶部
１０４・・・入出力手段としての入出力部
１０５・・・電話帳制御部
１０６・・・メモリ制御部
１０７・・・メーラ機能部
１０８・・・メモリ
１０９・・・電話帳記憶手段、着信履歴記憶手段、リダイヤル情報記憶手段及びメール記憶手段を構成する内部記憶媒体
１１０・・・電話帳記憶手段、着信履歴記憶手段、リダイヤル情報記憶手段及びメール記憶手段を構成する外部記憶媒体
１１１・・・操作手段としての操作部
１１２・・・表示手段としての表示部
【図１】
2006185089.tif 000003
【図２】
2006185089.tif 000004
【図３】
2006185089.tif 000005
【図４】
2006185089.tif 000006
【図５】
2006185089.tif 000007
【図６】
2006185089.tif 000008
【図７】
2006185089.tif 000009